(57)【特許請求の範囲】
【請求項１】
針素(2) と当該針素(2) の先端に取り付けられた釣針(3) とを備えた釣りの仕掛け(1) を、糸巻部(5) を表裏の少なくとも一方の面に備えた台紙(4) の当該糸巻部(5) に、巻き付けてなる釣りの仕掛けの収納構造において、
複数の仕掛け(1) を、上記の糸巻部(5) に、順次巻き付けたものであり、先に巻き付けられた仕掛け(1) の針素(2) の後端を輪として、後続の仕掛け(1) の釣針(3) を、先に巻き付けられた仕掛け(1) の針素(2) の当該後端に引っかけた状態にし、糸巻部(5) に後続の仕掛け(1) を巻き付けたものであることを特徴とする釣りの仕掛けの収納構造。
【請求項２】
上記の糸巻部(5) は、互いに間隔を開けて環状に配設された複数の糸掛け部(51)にて構成されたものであり、各糸掛け部(51)に沿って各仕掛け(1) が巻き付けられると共に、当該糸掛け部(51)の夫々に、各仕掛け(1) の釣針(3) を掛けて固定されたものであることを特徴とする請求項１記載の釣りの仕掛けの収納構造。
【請求項３】
上記糸巻部(5) は、台紙(4) に対して軸止された回転板(50)に設けられたものであることを特徴とする請求項１又は２記載の釣りの仕掛けの収納構造。
【請求項４】
針素(2) と当該針素(2) の先端に取り付けられた釣針(3) とを備えた釣りの仕掛け(1) を、糸巻部(5) を表裏の少なくとも一方の面に備えた台紙(4) の当該糸巻部(5) に、巻き付けるものである釣りの仕掛けの収納方法において、
糸巻部(5) に、釣針(3) を引っかけることが可能な針掛け部(52)を設け、
複数の仕掛け(1) を、上記の糸巻部(5) に、順次巻き付けて行くものであり、先に巻き付けられた仕掛け(1) の針素(2) の後端を輪として、後続の仕掛け(1) の釣針(3) を、先に巻き付けられた仕掛け(1) の針素(2) の当該後端に引っかけた状態にして、針掛け部(52)に掛け、糸巻部(5) に後続の仕掛け(1) を巻き付けるものであることを特徴とする釣りの仕掛けの収納方法。
【発明の詳細な説明】
【０００１】
【発明の属する技術分野】
本願発明は、釣りの仕掛けの収納方法及びその構造に関する。
【０００２】
【従来の技術】
購入して竿に取り付けるだけで直ちに釣りを楽しむことができるようにした仕掛けが、古くより製造され、市販されている。釣り糸だけの場合は糸巻きに巻いて販売されており、釣り針だけの場合は袋に多数入れておいて販売されているが、これらを仕掛けとして組み合わせたものの場合には、非常に絡まりやすくなるので、通常は矩形状の台紙の１短辺近傍に釣り針を並列させて係止し、釣り糸（針素）を反対側の短辺側に張り、続く釣り糸（幹素）をその反対側端部に設けられたいくつかの切り込み部に係止するという係合方法が採られた製品となっている。
ところが、このような従来の台紙に係合された仕掛けの場合、釣り糸（幹素）が針素との結束箇所で折曲していわゆる糸グセを起こしてしまい、絡みやすく扱いにくいものとなっていた。
【０００３】
このような糸グセを起こさないために、例えば、実開平６−７４８３号に見られる糸巻が提案されている。これは、その表面に、互いに間隔を開けて環状に配設された複数の糸掛け片にて構成された糸巻部を備えた台紙を用いるものである。この台紙には、糸掛け片とは別に釣針を引っかけて固定するための複数の孔が、糸巻部とは別に設けられている。
このような台紙において、仕掛けの釣針を上記の孔に掛け、台紙の各糸掛け片に沿って仕掛けを巻き付けることによって、針素を環状に収納することを可能とし、上記の糸グセを生じにくいものとしている。
【０００４】
また、この種の糸巻を改良したものとして、他に、特開平９−１４０３０６号、特開平１０−８４８２８号に見られる糸巻がある。
これらは、何れも、台紙に対して回転板が軸止されたものであり、糸巻部は当該回転板に形成されている。この台紙において、仕掛けを台紙から取り出す際、針素を一方向に引っ張るだけで、回転板が回り、糸巻部から仕掛けを解くことができ、仕掛けの取り外しが簡便に行える。
【０００５】
しかし、上記の何れの糸巻についても、一つの糸巻部について複数の仕掛けを巻いて使用する場合、仕掛けを糸巻部から解こうとすると、仕掛け（針素）の後端を見つけて摘みだすという手間を、仕掛けを取り出す度に強いられるものである。
【０００６】
【発明が解決しようとする課題】
そこで、本願発明は、先に使用する仕掛けが解かれた際、その釣針が、次に取り出されるべき仕掛けの針素の後端を、引き出しておくことを可能として、上記の課題の解決を図った。
【０００７】
【課題を解決するための手段】
本願第１の発明に係る釣りの仕掛けの収納構造は、針素２と当該針素２の先端に取り付けられた釣針３とを備えた釣りの仕掛け１を、糸巻部５を表裏の少なくとも一方の面に備えた台紙４の当該糸巻部５に、巻き付けたものであり、次の構成を採る。
即ちこの構造は、複数の仕掛け１…１を、上記の糸巻部５に、順次巻き付けたものであり、先に巻き付けられた仕掛け１の針素２の後端を輪として、後続の仕掛け１の釣針３を、先に巻き付けられた仕掛け１の針素２の当該後端に引っかけた状態にし、糸巻部５に後続の仕掛け１を巻き付けたものである。
このような構成を採ることによって、先に使用する仕掛け１が解かれた際、その釣針３が、次に取り出されるべき（先に巻かれた）仕掛けの針素の後端と引っかかった状態となっているため、先に使用する仕掛け１を引くと、次の仕掛けの針素の後端が引き出される。
【０００８】
本願第２の発明に係る釣りの仕掛けの収納構造では、上記本願第１の発明に係る釣りの仕掛けの収納構造にあって、上記の糸巻部５は、互いに間隔を開けて環状に配設された複数の糸掛け部５１…５１にて構成されたものであり、各糸掛け部５１…５１に沿って各仕掛け１…１が巻き付けられると共に、当該糸掛け部５１…５１の夫々に、各仕掛け１…１の釣針３を掛けて固定されたものである。
このような構成を採ることによって、各仕掛け１の釣針３を、（先に巻かれ））後から取り出される仕掛け１の針素２と最も近接する場所に配置しておくことができ、上記の取り出しをより円滑且つ、確実なものとする。
【０００９】
本願第３の発明に係る釣りの仕掛けの収納構造では、上記本願第１又は第２の発明に係る釣りの仕掛けの収納構造にあって、上記糸巻部５は、台紙４に対して軸止された回転板５０に設けられたものである。
このような構成を採ることにより、上記本願第１又は第２の発明が奏する作用を奏すると共に、針素を一方向に引っ張るだけで、回転板５０を台紙４に対して回転させて糸巻部５から、仕掛け１を簡単に解くことができる。特に、一方向に引っ張るだけで、仕掛けを引き出すことができるので、後から取り出される仕掛け１の針素２から、先に取り出される仕掛け１の釣針３が外れにくく、確実に、後から取り出される仕掛け１の針素２の後端を引き出すことができる。
【００１０】
本願第４の発明に係る釣りの仕掛けの収納方法は、針素２と当該針素２の先端に取り付けられた釣針３とを備えた釣りの仕掛け１を、糸巻部５を表裏の少なくとも一方の面に備えた台紙４の当該糸巻部５に、巻き付けるに際して、次の手段を採る。
即ちこの方法は、糸巻部４に、釣針３を引っかけることが可能な針掛け部５２を設け、複数の仕掛け１を、上記の糸巻部５に、順次巻き付けて行くものであり、先に巻き付けられた仕掛け１の針素２の後端を輪として、後続の仕掛け１の釣針３を、先に巻き付けられた仕掛け１の針素２の当該後端に引っかけた状態にして、針掛け部５２に掛け、糸巻部５に後続の仕掛け１を巻き付ける。
このような手段を採ることにて、上記第１乃至第３の発明に係る構造を使用するのと同様の作用を奏すると共に、特に、仕掛け収納時、確実に、上記の輪に釣針を掛けた状態を維持することができる。
【００１１】
【発明の実施の形態】
以下、図面に基づき本願発明の実施の形態について説明する。
図１乃至図４へ、本願発明の一実施の形態を示す。図１は、仕掛け１…１が巻かれていない状態の台紙４の斜視図である。図２は、上記台紙４に仕掛け１を収容する初期の状態を示す台紙４の平面図である。図３は、図２の状態から巻き取りが更に進行した状態を示す台紙４の平面図である。図４は、巻き取りが完了した状態を示す台紙４の平面図である。
説明の便宜上、図１中、Ｕは上方を、Ｓは下方を示している。
【００１２】
この釣りの仕掛けの収納方法は、針素２と当該針素２の先端に取り付けられた釣針３とを備えた、複数の釣りの仕掛け１…１を、糸巻部５を表裏の少なくとも一方の面に備えた台紙４の当該糸巻部５に、順次巻き付けて行き、使用に際しては、後から巻き付けた仕掛け１から順に取り外して行くものである。
以下、その内容について、詳しく述べる。
【００１３】
図１へ示す通り、上記の台紙４の上面４ａには、紙或いはシート状のプラスチックでできた円盤状の回転板５０が、プラスチック製のピンなどの留具６にて軸止されている。
留具６は、円形の回転板５０の中心に位置する。留具６には、上記ピン以外に、鳩目やリベットを用いることが可能である。
この回転板５０の上面５０ａには、糸巻部５が設けられている。
糸巻部５は、互いに間隔を開けて、留具６（回転板５０の中心）を中心として、環状に即ち平面視円弧状に配設された複数の糸掛け部５１…５１にて構成されている。
【００１４】
糸掛け部５１…５１の夫々は、回転板５０に切り目を入れて回転板５０の上面５０ａより起こした起立片であり、その先端は、糸掛け部５１…５１全体が呈する上記円弧の外側に向けて伸びる。糸掛け部５１…５１の夫々の基端は、針受け部５２を構成している。針受け部５２は、切欠部５３，５３を備える。上記の針受け部５２が請求項４の針掛け部に対応する。
【００１５】
このような糸巻に、仕掛け１を収納する方法について、具体的に説明する。
先ず、図２に示す通り、最も最後に取り外される仕掛け１を、最も最初に糸巻部５に巻き付ける。その際に、先ずその仕掛け１の釣針３を一つの糸掛け部５１の針受け部５２に配位させ、その釣針３を当該糸掛け部５１に引っかける。そして、この仕掛け１の針素２を、糸巻部５を構成する各糸掛け部５１…５１に沿わせて捲回する。
図３に示す通り、上記の仕掛け１の針素２について、その後端を糸巻部５への捲回方向と逆方向に折り返し、未だ釣針３が配位されていない糸掛け部５１の針受け部５２のある位置にて、輪２ａを形成する。この輪２ａは、単に針素２を折り返すだけのものであり、結んだりしない。但し、輪２ａを、このような折り返しのみに限定するものではなく、結んで形成するものとしても、実施可能である。
次に（上記仕掛け１より先に取り出される）他の仕掛け１の釣針３（図３中糸巻部５の左側に位置する釣針３）を、上記の輪２ａに掛けた状態にして、その輪２ａがある上記釣針３が配位されていない糸掛け部５１の針受け部５２に配位し、当該糸掛け部５１に引っかける。そして、先の仕掛け１と同様、上記の手順にて、当該他の仕掛け１を糸巻部５に捲回する。図３において図面の煩雑を避けるために、一つの仕掛け１の針素２を現実よりも短いものとして描いてある。即ち、実際には、一つの仕掛け１は、糸巻部５に対して数周巻かれて収納されることになる。
このような手順を繰り返して、次々に、仕掛け１を糸巻部５に捲回する。これにて、図４に示す状態にて、収納が完了する。
【００１６】
上記の通り収納された夫々の仕掛け１は、釣り人によって取り出される度に、次の仕掛け１の針素２の後端を引き出すことができるのである。
【００１７】
特に、上記のように、針受け部５２に切欠部５３，５３を設けることによって、釣針３の軸（シャンク）を確実に固定し、捲回される針素２を確実に針受け部５２に掴ませることができると共に、釣針３を、針素２が捲回される位置に確実に止め、また、先に巻かれた仕掛け１の針素２の輪を確実に釣針３に保持させることができる。
上記のおいて、針受け部５２は、糸掛け部５１が備えるものとしたが、糸掛け部５１とは、別に形成するものとしても実施可能である（図示しない）。
【００１８】
上記の実施の形態においては、糸巻部５は、回転板５０に設けられるものとした。この他、このような回転板５０を台紙４に設けずに、直接糸巻部５を台紙４に形成するものとしても実施可能である。即ち、平面視円弧状に配設された複数の糸掛け部５１…５１を直接台紙４に形成するものとしても実施可能である。
【００１９】
【発明の効果】
本願第１〜４の発明の実施によって、先の仕掛けの取り出しの際に、次の仕掛けの針素の後端を引き出しておくことができ、仕掛けの取り出しを、極めて容易なものとした。
また、このような取り出しの容易さを確保するために、複雑な手順や、台紙に複雑な構成を要することなく、簡単な手法によってその実現を可能とした。
【図面の簡単な説明】
【図１】本願発明に用いる台紙４の斜視図である。
【図２】上記台紙４に仕掛け１を巻き取り始めた状態を示す平面図である。
【図３】図２の台紙４において、巻き取りが更に進行した状態を示す平面図である。
【図４】上記台紙４において、仕掛け１…１の巻き取りが完了した状態を示す平面図である。
【符号の説明】
１    仕掛け
２    針素
３    釣針
４    台紙
５    糸巻部
５０    回転板
５１    糸掛け部
【図１】
0003895196.tif 000002
【図２】
0003895196.tif 000003
【図３】
0003895196.tif 000004
【図４】
0003895196.tif 000005